(57)【要約】【課題】受け皿を有する遊技媒体貸出機とノズルシュートを有する遊技媒体貸出機との交換が容易な遊技媒体貸出機を得る。【解決手段】筐体１に挿入・抜き出し可能で、遊技媒体を吐出口３４ａから払い出すホッパーユニット３４と、ガイド３８と、筐体１内に着脱可能でホッパーユニット３４を載置した際にホッパーユニット３４に制御ユニット１４と電気的に接続されるコネクタ３０を取り付けた載置台３２とを備える。筐体１の開口には、ノズルシュート４６を有する正面板４４または受け皿４２を有する正面板４０の一方が選択的に取り付けられる。ノズルシュート４６の正面板４４を取り付ける際には、ガイド３８に載置台３２を重ね、更にホッパーユニット３４を積み重ねる。受け皿４２の正面板４０を取り付ける際には、載置台３２にホッパーユニット３４を重ね、更にガイド３８を積み重ねる。【選択図】  図３
2005218572.tif 000002
【特許請求の範囲】
【請求項１】
遊技機に隣接して設置され、投入された貨幣に応じた遊技媒体を払い出す遊技媒体貸出機において、
正面側が開口された筐体と、
前記筐体内の上部に配置された貨幣識別ユニットと、
前記貨幣識別ユニットからの識別信号に応じて払出信号を出力する制御ユニットと、
前記筐体に前記開口から挿入・抜き出し可能で、入力される払出信号に応じて遊技媒体を吐出口から払い出すホッパーユニットと、
前記筐体に前記開口から挿入・抜き出し可能で、かつ、前記ホッパーユニットに積み重ね可能なガイドと、
前記筐体内に着脱可能で前記ホッパーユニットを載置した際に前記ホッパーユニットに前記制御ユニットと電気的に接続されるコネクタを取り付けた載置台とを備え、
前記筐体の前記開口には、前記遊技媒体のノズルシュートを有する正面板または前記遊技媒体の受け皿を有する正面板の一方が選択的に着脱可能に取り付けられ、
また、前記ノズルシュートを有する正面板を取り付ける際には、前記ガイドに前記載置台を重ねると共に、前記載置台に前記ホッパーユニットを積み重ねて、前記ノズルシュートに前記ホッパーユニットの前記吐出口が接続される高さとし、あるいは、前記受け皿を有する正面板を取り付ける際には、前記載置台に前記ホッパーユニットを重ねると共に、前記ホッパーユニットに前記ガイドを積み重ねて、前記受け皿に前記ホッパーユニットの吐出口が接続される高さとして、前記筐体に取り付けることを特徴とする遊技媒体貸出機。
【請求項２】
前記貨幣識別ユニットの下側に前記制御ユニットを配置したことを特徴とする請求項１記載の遊技媒体貸出機。
【請求項３】
前記ガイドは中空状に形成されていることを特徴とする請求項１または請求項２に記載の遊技媒体貸出機。
【発明の詳細な説明】
【技術分野】
【０００１】
本発明は、メダル等の遊技媒体を使用するパチンコ機やスロットルマシン等の遊技機に隣接して設けられ、遊技機に使用する遊技媒体を払い出す遊技媒体貸出機に関する。
【背景技術】
【０００２】
メダルを遊技媒体とするスロットルマシン等の遊技機は、その正面に設けられた投入口に遊技媒体を投入して遊戯するものである。遊技媒体は、遊技機の台間に、遊技機に隣接して設けられる遊技媒体貸出機から払い出される。従来より、この遊技媒体貸出機は、貨幣を投入すると、貨幣に応じた複数の遊技媒体が払い出されるが、遊技媒体貸出機には、特許文献１にあるように、遊技媒体が遊技媒体貸出機の下側に設けられた受け皿に払い出されるタイプのものと、特許文献２にあるように、遊技媒体貸出機に設けられたノズルシュートを介して隣接する遊技機の下皿に払い出されるタイプのものとが知られている。
【特許文献１】特開平４−１１４６８４号公報
【特許文献２】特開平１１−３４２２５８号公報
【発明の開示】
【発明が解決しようとする課題】
【０００３】
しかしながら、こうした従来のものでは、例えば、遊技機の台間に受け皿を有する遊技媒体貸出機を設置したあと、受け皿を有する遊技媒体貸出機をノズルシュートを有する遊技媒体貸出機に交換しようとすると、台間にある遊技媒体貸出機を取り外して、新たにノズルシュートを有する遊技媒体貸出機を設置しなければならず、交換作業が煩雑であるという問題があった。
【０００４】
本発明の課題は、受け皿を有する遊技媒体貸出機と、ノズルシュートを有する遊技媒体貸出機との交換が容易な遊技媒体貸出機を提供することにある。
【課題を解決するための手段】
【０００５】
かかる課題を達成すべく、本発明は課題を解決するため次の手段を取った。即ち、
遊技機に隣接して設置され、投入された貨幣に応じた遊技媒体を払い出す遊技媒体貸出機において、
正面側が開口された筐体と、
前記筐体内の上部に配置された貨幣識別ユニットと、
前記貨幣識別ユニットからの識別信号に応じて払出信号を出力する制御ユニットと、
前記筐体に前記開口から挿入・抜き出し可能で、入力される払出信号に応じて遊技媒体を吐出口から払い出すホッパーユニットと、
前記筐体に前記開口から挿入・抜き出し可能で、かつ、前記ホッパーユニットに積み重ね可能なガイドと、
前記筐体内に着脱可能で前記ホッパーユニットを載置した際に前記ホッパーユニットに前記制御ユニットと電気的に接続されるコネクタを取り付けた載置台とを備え、
前記筐体の前記開口には、前記遊技媒体のノズルシュートを有する正面板または前記遊技媒体の受け皿を有する正面板の一方が選択的に着脱可能に取り付けられ、
また、前記ノズルシュートを有する正面板を取り付ける際には、前記ガイドに前記載置台を重ねると共に、前記載置台に前記ホッパーユニットを積み重ねて、前記ノズルシュートに前記ホッパーユニットの前記吐出口が接続される高さとし、あるいは、前記受け皿を有する正面板を取り付ける際には、前記載置台に前記ホッパーユニットを重ねると共に、前記ホッパーユニットに前記ガイドを積み重ねて、前記受け皿に前記ホッパーユニットの吐出口が接続される高さとして、前記筐体に取り付けることを特徴とする遊技媒体貸出機がそれである。
【０００６】
前記貨幣識別ユニットの下側に前記制御ユニットを配置するのが好ましい。また、前記ガイドは中空状に形成するとよい。
【発明の効果】
【０００７】
前述したように本発明の遊技媒体貸出機は、受け皿を有する遊技媒体貸出機からノズルシュートを有する遊技媒体貸出機への交換、あるいは、ノズルシュートを有する遊技媒体貸出機から受け皿を有する遊技媒体貸出機への交換を、遊技媒体貸出機全体を交換する煩雑な作業を行うことなく、正面板を交換すると共に、ガイド、ホッパーユニット、載置台の積み重ねを変更する簡単な作業で行うことができるという効果を奏する。
【発明を実施するための最良の形態】
【０００８】
以下本発明を実施するための最良の形態を図面に基づいて詳細に説明する。
図１に示すように、１は筐体で、筐体１は図示しない遊技機の台間に設置できるように、縦長の直方体状に形成されている。筐体１は、両側板２，４と、両側板２，４の下側を繋ぐ底板６と、両側板２，４の上側を繋ぐ天井板８とを備えている。
【０００９】
筐体１の正面側と背面側とは開口されると共に、内部は中空に形成されている。筐体１の背面側の開口には、背面板１０が取り付けられて、閉塞される。筐体１の上部には貨幣識別ユニット１２が挿入配置されると共に、貨幣識別ユニット１２の下側には制御ユニット１４が挿入配置される。
【００１０】
予め一対のコネクタ１６，１８が上下に取り付けられたブラケット２０が、筐体１の背面側の開口近傍で、筐体１の上側に取り付けられている。貨幣識別ユニット１２を筐体１の内部に挿入した際に、貨幣識別ユニット１２が一方のコネクタ１６に差し込まれ、制御ユニット１４を筐体１の内部に挿入した際に、制御ユニット１４が他方のコネクタ１８に差し込まれるように構成されている。
【００１１】
筐体１の正面側の開口の上部には、貨幣識別ユニット１２と制御ユニット１４との正面側を覆う上部正面板２２が着脱可能に取り付けられる。上部正面板２２には、貨幣投入口２４が形成されており、貨幣投入口２４に投入された貨幣が貨幣識別ユニット１２に取り込まれて、貨幣識別ユニット１２が貨幣が投入されたと識別すると、一対のコネクタ１６，１８や制御線２６を介して、識別信号を制御ユニット１４に出力する。制御ユニット１４は、識別信号が入力されると、貨幣に応じた複数枚の遊技媒体を払い出す払出信号をコネクタ１８を介して出力する。
【００１２】
コネクタ１８は、制御線２８を介して他のコネクタ３０に接続されており、コネクタ３０は載置台３２に取り付けられている。載置台３２は、筐体１内に水平に挿入可能な平板部３２ａと、垂直な立板部３２ｂとを備え、平板部３２ａからは下方に折り曲げられた複数の曲折部３２ｃが設けられている。筐体１の底板６には、曲折部３２ｃが挿入可能な複数の挿入孔６ａが形成されており、曲折部３２ｃを挿入孔６ａに挿入して、底板６の上に載置台３２を取り付けることができるように構成されている。立板部３２ｂには、コネクタ３０が取り付けられている。
【００１３】
図２に示すように、３４はホッパーユニットで、ホッパーユニット３４は入力される払出信号に応じて、計数した複数枚の遊技媒体を吐出口３４ａから払い出すものである。ホッパーユニット３４は筐体１の内部に、正面側の開口から挿入可能に、また、開口から外部に抜き出し可能に形成されている。
【００１４】
ホッパーユニット３４には、その上部にホッパー部３４ｂが設けられており、ホッパー部３４ｂに遊技媒体が投入され、吐出口３４ａから払い出される。ホッパー部３４ｂには、更に、ホッパーダクト３６が着脱可能に設けられると共に、ホッパーダクト３６には、中空状のガイド３８が着脱可能に設けられている。ガイド３８には、下方に向かって突出された複数の挿入部３８ａが形成されている。挿入部３８ａは、載置台３２の曲折部３２ｃと同一形状に形成されており、曲折部３２ｃに代えて、底板６の挿入孔６ａに挿入可能に形成されている。ホッパーダクト３６及びガイド３８も、筐体１の正面側の開口から、内部に挿入、あるいは、抜き出し可能に形成されている。
【００１５】
図３に示すように、筐体１の正面側の開口の下部を塞ぐ下部正面板４０が、筐体１に着脱可能に設けられている。この下部正面板４０には、下側に受け皿４２が設けられており、遊技媒体がこの受け皿４２に払い出される。図４に示すように、筐体１の底板６に載置台３２を重ねて取り付けた状態で、載置台３２にホッパーユニット３４を載置した際に、ホッパーユニット３４の吐出口３４ａと受け皿４２とが接続されて、遊技媒体が受け皿４２に払い出されるように構成されている。
【００１６】
また、図５に示すように、筐体１の正面側の開口の下部を塞ぐ別の下部正面板４４が、筐体１に着脱可能に設けられている。この下部正面板４４には、下側にノズルシュート４６が設けられており、遊技媒体がこのノズルシュート４６を通って、隣接する遊技機の下皿に遊技媒体を払い出すように構成されている。図６に示すように、載置台３２にホッパーユニット３４を載置した際に、ホッパーユニット３４の吐出口３４ａとノズルシュート４６とが接続されるように、載置台３２を筐体１の底板６から所定距離高い位置に図示しないビスにより取り付けられるように構成されている。
【００１７】
次に、前述した本実施形態の遊技媒体貸出機の作動について説明する。
ます、受け皿３６を有する下部正面板４４を用いる場合は、図３に示すように、ホッパーユニット３４のホッパー部３４ｂにホッパーダクト３６を繋ぎ合わせると共に、ホッパーダクト３６にガイド３８を繋ぎ合わせる。そして、載置台３２の曲折部３２ｃを底板６の挿入孔６ａに挿入して、載置台３２を底板６の上に重ね合わせて、筐体１に載置台３２を取り付ける。
【００１８】
次に、ホッパーダクト３６とガイド３８を繋ぎ合わせたホッパーユニット３４を筐体１の正面側の開口から、筐体１の内部に挿入し、ホッパーユニット３４を載置台３２に載置する。その際、ホッパーユニット３４を載置台３２のコネクタ３０に接続する。ホッパーユニット３４を載置台３２上に載置した状態で、ホッパーユニット３４を筐体１の背面側に押し込めば、コネクタ３０に差し込まれる。
【００１９】
続いて、受け皿４２を有する下部正面板４０を筐体１の正面側開口に取り付けて固定する。これにより、ホッパーユニット３４の吐出口３４ａが受け皿４２と接続され、貨幣が貨幣投入口２４から投入されると、貨幣識別ユニット１２が貨幣を識別して、コネクタ１６，１８、制御線２６を介して、制御ユニット１４に識別信号を出力する。
【００２０】
制御ユニット１４は、識別信号を受けて、貨幣に応じた払出信号をコネクタ１８，３０、制御線２８を介しホッパーユニット３４に出力する。ホッパーユニット３４は払出信号を受けて、貨幣に応じた複数枚の遊技媒体を計数して、複数の遊技媒体を吐出口３４ａから払い出す。遊技媒体は、吐出口３４ａから受け皿４２に払い出される。
【００２１】
受け皿４２に代えて、ノズルシュート４６を用いた遊技媒体貸出機としたい場合には、受け皿４２を有する下部正面板４０を筐体１から取り外す。そして、ホッパーダクト３６とガイド３８を繋ぎ合わせたホッパーユニット３４を筐体１の正面側の開口から、筐体１の外部に抜き出す。
【００２２】
図５に示すように、ガイド３８をホッパーダクト３６から取り外し、載置台３２を底板６から所定距離離れた高い位置に引き上げて、底板６の挿入孔６ａに挿入部３８ａを挿入して、取り外したガイド３８を底板６上に載置する。ホッパーダクト３６を繋ぎ合わせたホッパーユニット３４を載置台３２に載置して、ホッパーユニット３４を背面側に押し込む。これにより、ホッパーユニット３４とコネクタ３０とが接続される。
【００２３】
そして、ノズルシュート４６を有する下部正面板４４を筐体１の正面側の開口に取り付ける。これにより、ホッパーユニット３４の吐出口３４ａとノズルシュート４６とが接続される。貨幣が貨幣投入口２４に投入されると、貨幣に応じた遊技媒体がホッパーユニット３４で計数され、吐出口３４ａを介してノズルシュート４６から遊技機の下皿に払い出される。
【００２４】
逆に、ノズルシュート４６から受け皿４２に代える場合も、ノズルシュート４６を有する下部正面板４４を筐体１から取り外すと共に、ホッパーユニット３４を筐体１から抜き出す。そして、ガイド３８を抜き取り、載置台３２を底板６の上に重ねる位置に移動してから、ガイド３８を繋ぎ合わせたホッパーユニット３４を載置台３２に載置して、コネクタ３０に接続する。受け皿４２を有する下部正面板４０を筐体１に取り付ければ、交換が完了する。
【００２５】
このように、受け皿４２を有する遊技媒体貸出機からノズルシュート４６を有する遊技媒体貸出機への交換、あるいは、ノズルシュート４６を有する遊技媒体貸出機から受け皿４２を有する遊技媒体貸出機への交換を、遊技媒体貸出機全体を交換する煩雑な作業を行うことなく、下部正面板４０，４４を交換すると共に、載置台３２の取り付け位置を変更する簡単な作業で行うことができる。
【００２６】
以上本発明はこの様な実施形態に何等限定されるものではなく、本発明の要旨を逸脱しない範囲において種々なる態様で実施し得る。
【図面の簡単な説明】
【００２７】
【図１】本発明の一実施形態としての遊技媒体貸出機の筐体を中心とした分解斜視図である。
【図２】本実施形態の遊技媒体貸出機のホッパーユニット、ホッパーダクト、ガイドの斜視図である。
【図３】本実施形態の受け皿を有する下部正面板を用いた遊技媒体貸出機の分解斜視図である。
【図４】本実施形態の受け皿を有する下部正面板を用いた遊技媒体貸出機の内部を示す斜視図である。
【図５】本実施形態のノズルシュートを有する下部正面板を用いた遊技媒体貸出機の分解斜視図である。
【図６】本実施形態のノズルシュートを有する下部正面板を用いた遊技媒体貸出機の内部を示す斜視図である。
【符号の説明】
【００２８】
１…筐体            ２，４…側板
６…底板            ８…天井板
１０…背面板        １２…貨幣識別ユニット
１４…制御ユニット  １６，１８，３０…コネクタ
２２…上部正面板    ２４…貨幣投入口
３２…載置台        ３４…ホッパーユニット
３４ａ…吐出口      ３６…ホッパーダクト
３８…ガイド        ４０，４４…下部正面板
４２…受け皿        ４６…ノズルシュート
【図１】
2005218572.tif 000003
【図２】
2005218572.tif 000004
【図３】
2005218572.tif 000005
【図４】
2005218572.tif 000006
【図５】
2005218572.tif 000007
【図６】
2005218572.tif 000008